【手続補正書】
【提出日】平成28年9月13日(2016.9.13)
【手続補正１】
【補正対象書類名】特許請求の範囲
【補正対象項目名】全文
【補正方法】変更
【補正の内容】
【特許請求の範囲】
【請求項１】
イオン化傾向の異なる少なくとも２種類の材料の部材と、導電性を有し且つ電池の陽極及び陰極のいずれも形成しない部材とを具備した生体電池治療具であって、
前記イオン化傾向の異なる材料の部材のうち、イオン化傾向が相対的に大きな第１部材とイオン化傾向が相対的に小さな第２部材とは、前記導電性を有し電池の陽極及び陰極のいずれも形成しない部材を介在して配置されており、かつ、
前記第１部材と第２部材とがそれぞれ皮膚に接触した時に、前記第１部材と第２部材との間で皮膚を通して電流が流れるように、前記第１部材、第２部材及び導電性を有し且つ電池の陽極及び陰極のいずれも形成しない部材が配置されている、
生体電池治療具。
【請求項２】
請求項１の生体電池治療具において、
前記第１部材と前記第２部材の一方は板状をなし、導電性を有し且つ電池の陽極及び陰極のいずれも形成しない部材は、一部を残して、前記板状をなす部材の表面に被覆形成され、前記第１部材と第２部材の他方は、前記板状をなす一方の部材の表面に被覆形成された導電性を有し且つ電池の陽極及び陰極のいずれも形成しない部材の表面に分散して配置されており、
前記他方の部材を皮膚側に配置して、前記他方の部材及び前記一方の部材のうち前記導電性を有し且つ電池の陽極及び陰極のいずれも形成しない部材で被覆されていない部分を皮膚に接触させることにより、前記他方の部材と前記一方の部材との間で皮膚を通して、電流が流れるように配置されている、
生体電池治療具。
【請求項３】
請求項２の生体電池治療具において、
前記板状の部材の表面に被覆形成された導電性を有し且つ電池の陽極及び陰極のいずれも形成しない部材中に、
イオン化傾向が第１部材と第２部材との間にある第３部材が分散して含有されている、
生体電池治療具。
【請求項４】
請求項１の生体電池治療具において、
前記第１部材、前記第２部材及び導電性を有し且つ電池の陽極及び陰極のいずれも形成しない部材は、それぞれ粒状をなし、各部材がそれぞれ複数個分散してバインダ内に配置されており、
バインダ内の前記第１部材及び前記第２部材を皮膚に接触させることにより、前記第１部材と第２部材との間で皮膚を通して、電流が流れるように配置されている、
生体電池治療具。
【請求項５】
請求項４の生体電池治療具において、
前記バインダ内に、イオン化傾向が第１部材と第２部材との間にある第３部材が分散して含有されている、
生体電池治療具。
【請求項６】
前記バインダは基材に貼り付けられている請求項４又は５に記載の生体電池治療具。
【請求項７】
請求項１の生体電池治療具において、
基材上に、前記第１部材と前記第２部材とが互いに離間して配置され、
互いに離間して配置された第１部材と第２部材との間に、前記導電性を有し且つ電池の陽極及び陰極のいずれも形成しない部材が配置されており、
前記第１部材と前記第２部材とを皮膚に接触させることにより、第１部材と前記第２部材との間で皮膚を通して、電流が流れるように配置されている、
生体電池治療具。
【請求項８】
請求項７の生体電池治療具において、
互いに離間して配置された第１部材と第２部材との間に、イオン化傾向が第１部材と第２部材との間にある第３部材が分散して含有されている、
生体電池治療具。
【請求項９】
第１基材に第２基材を貼り付けてなり、イオン化傾向の異なる少なくとも２種類の材料の部材と、導電性を有し且つ電池の陽極及び陰極のいずれも形成しない部材とを具備した生体電池治療具であって、
第１基材には、互いに離間して、イオン化傾向が第２部材に対して相対的に大きな第１部材と、イオン化傾向が第１部材に対して相対的に小さな第２部材とが配置され、かつ、第１部材と第２部材との間に導電性を有し且つ電池の陽極及び陰極のいずれも形成しない部材が配置され、
第２基材は、イオン化傾向が第２部材に対して相対的に大きな第１部材と、イオン化傾向が第１部材に対して相対的に小さな第２部材と、導電性を有し且つ電池の陽極及び陰極のいずれも形成しない部材が配置され、少なくとも第１部材及び第２部材の配置領域以外の箇所において、第１基材に被覆されており、
前記第２基材と、前記第１部材及び第２部材とをそれぞれ皮膚に接触させることにより、少なくとも、前記第１部材と第２部材との間で皮膚を通して、電流が流れるように配置されている、
生体電池治療具。
【請求項１０】
請求項９の生体電池治療具において、
前記第１基材には、互いに離間して配置された第１部材と第２部材との間に、前記導電性を有し且つ電池の陽極及び陰極のいずれも形成しない部材とともに、イオン化傾向が第１部材と第２部材との間にある第３部材が分散して含有されている、
生体電池治療具。
【請求項１１】
イオン化傾向の異なる少なくとも２種類の材料の部材と、導電性を有し且つ電池の陽極及び陰極のいずれも形成しない部材とを具備した生体電池治療具であって、
孔を形成した台座の少なくとの一方の表面に、イオン化傾向が第２部材に対して相対的に大きな第１部材と、イオン化傾向が第１部材に対して相対的に小さな第２部材と、導電性を有し且つ電池の陽極及び陰極のいずれも形成しない部材が配置され、
前記イオン化傾向の異なる材料の部材のうち、イオン化傾向が相対的に大きな第１部材とイオン化傾向が相対的に小さな第２部材とは、前記導電性を有し且つイオン化傾向を有しない材料からなる部材を介在して配置されており、かつ、
前記第１部材と第２部材とがそれぞれ皮膚に接触した時に、前記第１部材と第２部材との間で皮膚を通して電流が流れるように、前記第１部材、第２部材及び導電性を有し且つイオン化傾向を有しない材料からなる部材が配置されている、
生体電池治療具。
【請求項１２】
イオン化傾向の異なる少なくとも２種類の材料の部材と、導電性を有し且つ電池の陽極及び陰極のいずれも形成しない部材とを具備した生体電池治療具であって、
孔を形成した第１台座と、この台座に被せられる第１被覆部材とを具備し、この第１被覆部材の表面に、イオン化傾向が第２部材に対して相対的に大きな第１部材を配置し、
孔を形成した第２台座と、この台座に被せられる第２被覆部材とを具備し、この第２被覆部材の表面に、イオン化傾向が第１部材に対して相対的に小さな第２部材とを配置し、かつ、
第１台座の孔と第２台座の孔を通して、導電性を有し且つ電池の陽極及び陰極のいずれも形成しない部材を第１台座及び第２台座にそれぞれ取り付けて、導電性を有し且つ電池の陽極及び陰極のいずれも形成しない部材を、第１部材と第２部材とに接続させて成り、
前記第１部材と第２部材とがそれぞれ皮膚に接触した時に、前記第１部材と第２部材との間で皮膚を通して電流が流れるようにした、
生体電池治療具。
【請求項１３】
イオン化傾向の異なる少なくとも２種類の材料の部材と、導電性を有し且つ電池の陽極及び陰極のいずれも形成しない部材とを具備した連鎖型の生体電池治療具であって、
各鎖は、それぞれ複数個、任意に間隔をおいて配置され、各鎖の少なくとも表面は、前記イオン化傾向の異なる少なくとも２種類の材料の部材のいずれかで形成され、
各鎖間は、前記導電性を有し且つ電池の陽極及び陰極のいずれも形成しない部材で形成され、
当該部材の各鎖と連結接触する部分は外部に露出していない、
生体電池治療具。
【請求項１４】
皮膚に接する振動子部と手で持つ把持部とを備え、イオン化傾向の異なる少なくとも２種類の材料の部材と、導電性を有し且つ電池の陽極及び陰極のいずれも形成しない部材とを具備した生体電池治療具であって、
前記振動子部をイオン化傾向が相対的に低い材料の部材と導電性を有し且つ電池の陽極及び陰極のいずれも形成しない部材とで構成し、前記把持部をイオン化傾向が相対的に高い材料で形成してなる、生体電池治療具。
【手続補正２】
【補正対象書類名】明細書
【補正対象項目名】００１６
【補正方法】変更
【補正の内容】
【００１６】
（１）  イオン化傾向の異なる少なくとも２種類の材料の部材と、導電性を有し且つ電池の陽極及び陰極のいずれも形成しない部材とを具備した生体電池治療具であって、
前記イオン化傾向の異なる材料の部材のうち、イオン化傾向が相対的に大きな第１部材とイオン化傾向が相対的に小さな第２部材とは、前記導電性を有し電池の陽極及び陰極のいずれも形成しない部材を介在して配置されており、かつ、
前記第１部材と第２部材とがそれぞれ皮膚に接触した時に、前記第１部材と第２部材との間で皮膚を通して電流が流れるように、前記第１部材、第２部材及び導電性を有し且つ電池の陽極及び陰極のいずれも形成しない部材が配置されている、
生体電池治療具。
【手続補正３】
【補正対象書類名】明細書
【補正対象項目名】００２７
【補正方法】変更
【補正の内容】
【００２７】
（１１）  イオン化傾向の異なる少なくとも２種類の材料の部材と、導電性を有し且つ電池の陽極及び陰極のいずれも形成しない部材とを具備した生体電池治療具であって、
孔を形成した台座の少なくとの一方の表面に、イオン化傾向が第２部材に対して相対的に大きな第１部材と、イオン化傾向が第１部材に対して相対的に小さな第２部材と、導電性を有し且つ電池の陽極及び陰極のいずれも形成しない部材が配置され、
前記イオン化傾向の異なる材料の部材のうち、イオン化傾向が相対的に大きな第１部材とイオン化傾向が相対的に小さな第２部材とは、前記導電性を有し且つイオン化傾向を有しない材料からなる部材を介在して配置されており、かつ、
前記第１部材と第２部材とがそれぞれ皮膚に接触した時に、前記第１部材と第２部材との間で皮膚を通して電流が流れるように、前記第１部材、第２部材及び導電性を有し且つイオン化傾向を有しない材料からなる部材が配置されている、
生体電池治療具。
【手続補正４】
【補正対象書類名】明細書
【補正対象項目名】００２８
【補正方法】変更
【補正の内容】
【００２８】
（１２）  イオン化傾向の異なる少なくとも２種類の材料の部材と、導電性を有し且つ電池の陽極及び陰極のいずれも形成しない部材とを具備した生体電池治療具であって、
孔を形成した第１台座と、この台座に被せられる第１被覆部材とを具備し、この第１被覆部材の表面に、イオン化傾向が第２部材に対して相対的に大きな第１部材を配置し、
孔を形成した第２台座と、この台座に被せられる第２被覆部材とを具備し、この第２被覆部材の表面に、イオン化傾向が第１部材に対して相対的に小さな第２部材とを配置し、かつ、
第１台座の孔と第２台座の孔を通して、導電性を有し且つ電池の陽極及び陰極のいずれも形成しない部材を第１台座及び第２台座にそれぞれ取り付けて、導電性を有し且つ電池の陽極及び陰極のいずれも形成しない部材を、第１部材と第２部材とに接続させて成り、
前記第１部材と第２部材とがそれぞれ皮膚に接触した時に、前記第１部材と第２部材との間で皮膚を通して電流が流れるようにした、
生体電池治療具。